(57)【特許請求の範囲】
【請求項１】
杭頭部と免震装置とがプレキャスト鉄筋コンクリート製パイルキャップを介して接合する構造であって、
前記プレキャスト鉄筋コンクリート製パイルキャップの上面には、前記免震装置と接合するためのアンカープレートが一体的に設けられており、
前記プレキャスト鉄筋コンクリート製パイルキャップの側面には、つなぎ梁と接合するためのコッターが凹状に成形されており、
前記プレキャスト鉄筋コンクリート製パイルキャップの底面には、前記杭頭部の上端を覆うための凹部が成形されており、
前記プレキャスト鉄筋コンクリート製パイルキャップの上面又は側面には、所定の箇所から前記凹部に渡って、無収縮モルタルを注入するための貫通孔が成形されており、
前記杭頭部と前記プレキャスト鉄筋コンクリート製パイルキャップとの間には、さらに無収縮モルタルが介在している
ことを特徴とする杭頭部と免震装置との接合構造。
【請求項２】
杭頭部と免震装置とがプレキャスト鉄筋コンクリート製パイルキャップを介して接合する構造であって、
前記プレキャスト鉄筋コンクリート製パイルキャップの上面には、前記免震装置と接合するためのアンカープレートが一体的に設けられており、
前記プレキャスト鉄筋コンクリート製パイルキャップの側面には、つなぎ梁と接合するためのコッターが凹状に成形されており、
前記杭頭部と前記プレキャスト鉄筋コンクリート製パイルキャップとの間には、さらに無収縮モルタルが介在しており、
上端部が前記アンカープレートから突出し、下端部が前記杭頭部の内部に固定されている緊張部材が、前記プレキャスト鉄筋コンクリート製パイルキャップと前記杭頭部とを緊結する
ことを特徴とする杭頭部と免震装置との接合構造。
【請求項３】
前記緊張部材は、前記杭頭部の成形時に設けられた鋼線又は鉄筋である
ことを特徴とする請求項２に記載の杭頭部と免震装置との接合構造。
【発明の詳細な説明】
【技術分野】
【０００１】
本発明は、建物の杭と構造物との間に設ける免震装置の接合構造に関し、つなぎ梁と杭頭部の接合部をプレキャスト部材とした杭頭部と免震装置との接合構造に関するものである。
【背景技術】
【０００２】
従来から、建物の構造物に採用される免震装置は、地盤に設けられた杭の各々に対して設置され、免震装置により地震力を抑制して構造物の破壊を防止していた。しかしながら、免震装置を設けるには、地盤を掘り下げる値切り量が増加すると共に、他の建物に比べてその分施工が複雑化するため、コストが増加していた。
【０００３】
一方、杭頭部を利用した免震装置の接合構造として、例えば、免震装置を直接杭頭部に載せる構造を採用することで、可能な限り剛構造として杭頭部の回転角が少なくなるようにしていた。しかしながら、上述した剛構造は、接合部分の固定度が高くなり、杭頭部付近の曲げ応力が増大する傾向がある。
【０００４】
そこで、杭頭部に対し、複数の定着筋が突出したＰＣリング及び複数の定着筋を挿入してＰＣリングの上部に載置するＰＣａ部材を組み合わせたプレキャスト部材を接合することにより、杭頭部付近の曲げ応力を小さくする構造（例えば、特許文献１参照。）が提案されている。
【先行技術文献】
【特許文献】
【０００５】
【特許文献１】特願２００８−２３１７９９号公報
【発明の概要】
【発明が解決しようとする課題】
【０００６】
しかしながら、上述した従来における構造では、部材の数が多く、部材同士の接合部分が複数箇所に点在するため、地震力その他の外力が伝わり破損が生じ易くなる恐れがある。さらに、部材の数に応じて、資材調達及び施工のコストが嵩む。
【０００７】
特に、ＰＣリングが杭頭部を囲むように載置するには、ＰＣリングの内周壁と杭頭部の外周壁との間に載置するスペーサーや、ＰＣリングの下面にレベルを調整するためのレベル調整インサートが必要になるため、施工の複雑化が避けられない。
【０００８】
そこで、本発明の目的は、プレキャスト鉄筋コンクリート製パイルキャップ及びプレキャスト鉄筋コンクリート製パイルキャップの載置に必要な資材の点数を抑制しつつ、免震構造として好適な状態を実現する杭頭部と免震装置との接合構造を提供することにある。
【課題を解決するための手段】
【０００９】
上記課題を解決するために、本発明による杭頭部と免震装置との接合構造は、上記杭頭部と上記免震装置とがプレキャスト鉄筋コンクリート製パイルキャップを介して接合する構造であって、上記プレキャスト鉄筋コンクリート製パイルキャップの上面には、上記免震装置と接合するためのアンカープレートが一体的に設けられており、上記プレキャスト鉄筋コンクリート製パイルキャップの側面には、つなぎ梁と接合するためのコッターが凹状に成形されており、上記プレキャスト鉄筋コンクリート製パイルキャップの底面には、上記杭頭部の上端を覆うための凹部が成形されており、上記杭頭部と上記プレキャスト鉄筋コンクリート製パイルキャップとの間には、さらに無収縮モルタルが介在していることを特徴とする。
【００１０】
また、上記プレキャスト鉄筋コンクリート製パイルキャップの上面又は側面の所定の箇所から上記凹部に渡って、上記無収縮モルタルを注入するための貫通孔が成形されていることが望ましい。
【００１１】
本発明による別の杭頭部と免震装置との接合構造は、杭頭部と免震装置とがプレキャスト鉄筋コンクリート製パイルキャップを介して接合する構造であって、上記プレキャスト鉄筋コンクリート製パイルキャップの上面には、上記免震装置と接合するためのアンカープレートが一体的に設けられており、上記プレキャスト鉄筋コンクリート製パイルキャップの側面には、つなぎ梁と接合するためのコッターが凹状に成形されており、上記杭頭部と上記プレキャスト鉄筋コンクリート製パイルキャップとの間には、さらに無収
縮モルタルが介在しており、上端部が上記アンカープレートから突出し、下端部が上記杭頭部の内部に固定されている緊張部材が、上記プレキャスト鉄筋コンクリート製パイルキャップと上記杭頭部とを緊結することを特徴とする。
【００１２】
また、上記緊張部材は、上記杭頭部の成形時に設けられた鋼線又は鉄筋であることが望ましい。
【００１３】
また、上記プレキャスト鉄筋コンクリート製パイルキャップは、従来工法における現場打ち鉄筋コンクリート製パイルキャップに代替可能であることが望ましい。
【発明の効果】
【００１４】
本発明による杭頭部と免震装置との接合構造は、プレキャスト鉄筋コンクリート製パイルキャップの上面にアンカープレート、側面にコッター、底面に凹部がそれぞれ設けてあることにより、施工効率が向上し、かつプレキャスト鉄筋コンクリート製パイルキャップと杭頭部との半剛接合が実現する。すなわち、アンカープレートが一体的に設けられていることにより、免震装置とプレキャスト鉄筋コンクリート製パイルキャップとの接合が容易となる。また、コッターが凹状に成形されていることにより、プレキャスト鉄筋コンクリート製パイルキャップのせん断応力が高まる。さらに、凹部が杭頭部の上端を覆うことでできるプレキャスト鉄筋コンクリート製パイルキャップとの隙間に無収縮モルタルが介在することにより、プレキャスト鉄筋コンクリート製パイルキャップと杭頭部との半剛接合が実現し、杭頭回転角の緩和も期待できる。
【００１５】
本発明による別の杭頭部と免震装置との接合構造は、プレキャスト鉄筋コンクリート製パイルキャップの上面にアンカープレート、側面にコッターがそれぞれ設けてあり、さらに緊張部材がプレキャスト鉄筋コンクリート製パイルキャップと杭頭部とを緊結することにより、施工効率が向上し、かつプレキャスト鉄筋コンクリート製パイルキャップと杭頭部との接合度が、半剛接合より高い度合いで実現する。すなわち、アンカープレートが一体的に設けられていることにより、免震装置とプレキャスト鉄筋コンクリート製パイルキャップとの接合が容易となる。また、コッターが凹状に成形されていることにより、プレキャスト鉄筋コンクリート製パイルキャップのせん断応力が高まる。さらに、プレキャスト鉄筋コンクリート製パイルキャップと杭頭部との間に無収縮モルタルが介在し、かつ緊張部材で緊結することにより、プレキャスト鉄筋コンクリート製パイルキャップと杭頭部との接合度が、半剛接合より高い度合いで実現する。
【図面の簡単な説明】
【００１６】
【図１】本発明の一実施形態を備えた免震構造の一例を示す斜視図である。
【図２】上記免震構造の一部を示す側断面図である。
【図３】上記免震構造の一部を示す拡大側断面図である。
【図４】本発明の別の実施形態を備えた免震構造の一部を示す側断面図である。
【発明を実施するための形態】
【００１７】
以下、図１〜図３を参照しつつ、本発明の一実施形態による杭頭部と免震装置との接合構造を説明する。
【００１８】
まず、図１にて、杭頭部と免震装置との接合構造の概要を説明する。図１は、所定の箇所に成形された杭の杭頭部に免震装置を介して構造体が支持される免震構造の一部の概要を示すものである。
【００１９】
本発明の一実施形態による杭頭部と免震装置との接合構造は、杭頭部１と免震装置２とがプレキャスト鉄筋コンクリート製パイルキャップ３を介して接合する構造であって、
このプレキャスト鉄筋コンクリート製パイルキャップの上面には、この免震装置と接合するためのアンカープレート３１が一体的に設けられており、このプレキャスト鉄筋コンクリート製パイルキャップの側面には、つなぎ梁４と接合するためのコッター３２が凹状に成形されており、このプレキャスト鉄筋コンクリート製パイルキャップの底面には、この杭頭部の上端を覆うための凹部３３が成形されており、この杭頭部とこのプレキャスト鉄筋コンクリート製パイルキャップとの間には、さらに無収縮モルタル３４が介在していてもよい。
【００２０】
また、プレキャスト鉄筋コンクリート製パイルキャップ３の上面又は側面の所定の箇所から凹部３３に渡って、無収縮モルタル３４を注入するための貫通孔（符番しない）が設けられてもよい。
【００２１】
次に、図２を参照しつつ、杭頭部と免震装置との接合構造の詳細を説明する。図２は、免震装置より下位の構造を断面で示すものである。
【００２２】
図２に示すとおり、杭頭部１は、地盤に設けられた建物の杭の先端部分であり、杭の施工当初の上側を削った後の先端部分でもよい。杭頭部１の直径は、杭の直径と同じでもそれ以上でもよい。杭頭部１の上端の面積は、免震装置２の設置が可能な広さが好ましく、この免震装置の底面積と同じでもそれ以上でもよい。
なお、杭の種類は、場所打ち杭、コンクリート杭又は鋼管杭でもよい。杭頭部１の上端は、平坦状に限らず、凹凸状でもよい。杭頭部１と杭とは、所定の施工法にて一体に成形されてもよい。
【００２３】
免震装置２は、所定のゴム板や硬質板を積層した円筒状の免震部材（符番しない）と、この免震部材の上下面に設けられたフランジ板（符番しない）とで構成されていもよい。免震装置２の下部はプレキャスト鉄筋コンクリート製パイルキャップ３、上部は構造体Ｂに各々固定されてもよい。
なお、免震装置２の素材や寸法に限定はなく、建物の規模や免震具合に応じて選択可能としてもよい。
【００２４】
プレキャスト鉄筋コンクリート製パイルキャップ３は、この上面には免震装置２のフランジ板とボルト孔を介して所定のボルトで接合するために一体に設けられたアンカープレート３１、この側面にはつなぎ梁４と結合するための凹状のコッター３２、この底面には杭頭部１の上端から側面の所定の高さまでを覆うための凹部３３を有していてもよい。
なお、プレキャスト鉄筋コンクリート製パイルキャップ３の上面積、底面積及び各部寸法に限定はなく、少なくとも底面積は杭頭部１の上端の面積より大きいことが望ましい。プレキャスト鉄筋コンクリート製パイルキャップ３を構成する素材は、鉄筋コンクリートのみならず、鋼等の剛性を有するものであればよい。プレキャスト鉄筋コンクリート製パイルキャップ３の形状は、円筒状に限らず柱状でもよい。
【００２５】
アンカープレート３１は、プレキャスト鉄筋コンクリート製パイルキャップ３の上面に所定のボルトを打ち込んで固定する板状部材でもよい。
なお、アンカープレート３１の面積及び各部寸法に限定はなく、免震装置２のフランジ板の直径よりも大きいことが望ましい。プレキャスト鉄筋コンクリート製パイルキャップ３とアンカープレート３１とは、所定の接着剤で着脱不可能な状態でも、所定のネジ等の接合部材で着脱可能な状態にして設けられていてもよい。
【００２６】
コッター３２は、プレキャスト鉄筋コンクリート製パイルキャップ３のせん断応力を高めるためのもので、このプレキャスト鉄筋コンクリート製パイルキャップの側面のうち上側一周に設けられた矩形状の凹部であってもよい。
なお、コッター３２の形状は、矩形状に限らず半球状でもよい。また、コッター３２の形状、寸法及び位置に限定はなく、プレキャスト鉄筋コンクリート製パイルキャップ３のせん断応力効果が最大となりものが望ましい。コッター３２は、プレキャスト鉄筋コンクリート製パイルキャップ３の成形時に成型して設けても、成形後に掘り削って設けてもよい。
【００２７】
プレキャスト鉄筋コンクリート製パイルキャップ３とつなぎ梁４とは、複合鉄筋５ａ及び／又は５ｂ，５ｂで結合されてもよい。複合鉄筋５ａ及び５ｂ，５ｂは、プレキャスト鉄筋コンクリート製パイルキャップ３とつなぎ梁４との接合面と直交して設けられてもよい。複合鉄筋５ａは、ピン接合として断面視でコッター３２の中心を通って設けられてもよい。複合鉄筋５ｂ，５ｂは、固定接合として断面視でコッター３２の上下を設けられてもよい。
なお、複合鉄筋５ａ及び／又は５ｂ，５ｂは、プレキャスト鉄筋コンクリート製パイルキャップ３の施工前に予め差し込まれていても、施工後にリレージョイント等で連結されてもよい。プレキャスト鉄筋コンクリート製パイルキャップ３とつなぎ梁４とが接合された状態を耐圧盤としてもよい。
【００２８】
凹部３３は、杭頭部１の上端から側面の所定の高さまで覆い、この杭頭部とプレキャスト鉄筋コンクリート製パイルキャップ３とを半剛接合するためのものであってもよい。
なお、凹部３３は、プレキャスト鉄筋コンクリート製パイルキャップ３の成形時に成型して設けても、成形後に掘り削って設けてもよい。
【００２９】
ここで、図３を参照しつつ、杭頭部の上端とプレキャスト鉄筋コンクリート製パイルキャップの凹部との接合構造の詳細を説明する。図３は、図２の一部を拡大したもので、図３（Ａ）は無収縮モルタルの注入前、図３（Ｂ）は無収縮モルタルの注入後の状態を示すものである。
【００３０】
図３（Ａ）に示すとおり、杭頭部１の上端１１に突起があると、この上端とプレキャスト鉄筋コンクリート製パイルキャップ３の凹部３３の上面３３ａとの間に隙間Ｓａが生じることがある。この場合、プレキャスト鉄筋コンクリート製パイルキャップ３の側面の所定箇所から凹部３３の上面３３ａに渡って設けた貫通孔３５を経由して無収縮モルタルを注入してもよい。さらに、無収縮モルタルは、隙間Ｓａから凹部３３の内側面３３ｂと杭頭部１の側面１２との間の隙間Ｓｂに流れてもよい。
そして、図３（Ｂ）に示すとおり、固まった無収縮モルタル３４は、杭頭部１の上端１１及び側面１２と、プレキャスト鉄筋コンクリート製パイルキャップ３の凹部３３の上面３３ａ及び内側面３３ｂと、捨てコンクリートＣの平滑面とがそれぞれ接合していてもよい。この場合、杭頭部１はプレキャスト鉄筋コンクリート製パイルキャップ３に対して半剛接合している状態でもよい。
なお、無収縮モルタル３４は、杭頭部１の上端１１及び／又はプレキャスト鉄筋コンクリート製パイルキャップ３の凹部３３の上面３３ａに直接塗布してもよい。無収縮モルタル３４に限らず、注入時に流動性が高く、接合時に所定の剛性を有する素材であればいずれでもよい。貫通孔３５は、プレキャスト鉄筋コンクリート製パイルキャップ３の成形時に成型して設けても、成形後に掘り削って設けてもよい。
【００３１】
次に、図２及び図３に示す杭頭部と免震装置との接合構造の施工方法の一例を説明する。
【００３２】
まず、地盤に設けられた建物の杭周辺を掘り削り、先端部分を露出する。そして、露出した先端部分を所定の方法で切り削り、残った先端部分を杭頭部１とする。その後、杭頭部１周辺から地盤に対して捨てコンクリートＣを打設する。
【００３３】
次に、杭頭部１の上端１１に、プレキャスト鉄筋コンクリート製パイルキャップ３の凹部３３の上面３３ａが当接するように載置する。このとき、杭頭部１とプレキャスト鉄筋コンクリート製パイルキャップ３とは接合しておらず、着脱可能な状態である。そして、貫通孔３５から隙間Ｓａ及び隙間Ｓｂに流入した無収縮モルタル３４は、この所定時間経過に凝固する。これにより、無収縮モルタル３４を介して、杭頭部１の上端１１及び側面１２、プレキャスト鉄筋コンクリート製パイルキャップ３の凹部３３の上面３３ａ及び内側面３３ｂ、及び捨てコンクリートＣの平滑面が半剛接合状態となる。そして、プレキャスト鉄筋コンクリート製パイルキャップ３のアンカープレート３１と免震装置２の下側のフランジ板とをボルトで結合する。
【００３４】
その後、コッター３２の中心を通した複合鉄筋５ａ及び／又はこのコッターの上下を通した複合鉄筋５ｂ，５ｂが内在するようにつなぎ梁４を打設すると共に、免震装置２の上側のフランジ板と構造体Ｂとをボルトで接合する。
【００３５】
このように、本発明の一実施形態における杭頭部１と免震装置２との接合構造は、プレキャスト鉄筋コンクリート製パイルキャップ３の上面にアンカープレート３１、側面にコッター３２、底面に凹部３３がそれぞれ設けてあることにより、施工効率が向上し、かつこの杭頭部とプレキャスト鉄筋コンクリート製パイルキャップとの半剛接合が実現する。すなわち、アンカープレート３１が一体的に設けられていることにより、免震装置２とプレキャスト鉄筋コンクリート製パイルキャップ３との接合が容易となる。また、コッター３２が凹状に成形されていていることにより、プレキャスト鉄筋コンクリート製パイルキャップ３のせん断応力が高まる。さらに、凹部３３が杭頭部１の上端を覆うと共に、この凹部と杭頭部との間の隙間に無収縮モルタル３４が介在することにより、このプレキャスト鉄筋コンクリート製パイルキャップとこの杭頭部との半剛接合が実現し、杭頭回転角の緩和も期待できる。
【００３６】
次に、図４を参照しつつ、本発明の別の実施形態による杭頭部と免震装置との接合構造を説明する。図４（Ａ）は、側面視で免震装置より下位の構造の一部を断面で示すもの、図４（Ｂ）は、上面視で免震装置より下位の構造の一部を示すものである。
なお、図１〜図３で示した基材、部品又は部位と同等のものは、参照を容易にする等のため、図４において一律１００を加えた番号にしている。また、図１〜図３を参照しつつ説明した基材、部品又は部位と同等のものの説明は省略する。
【００３７】
図４（Ａ）及び図４（Ｂ）に示すとおり、本発明の別の実施形態による杭頭部と免震装置との接合構造は、杭頭部１０１と免震装置（符番しない）とがプレキャスト鉄筋コンクリート製パイルキャップ１０３を介して接合する構造であって、このプレキャスト鉄筋コンクリート製パイルキャップの上面には、この免震装置と接合するためのアンカープレート１３１が一体的に設けられており、このプレキャスト鉄筋コンクリート製パイルキャップの側面には、つなぎ梁（符番しない）と接合するためのコッター（符番しない）が凹状に成形されており、この杭頭部とプレキャスト鉄筋コンクリート製パイルキャップとの間には、さらに無収縮モルタル（図示しない）が介在しており、上端部１６１ａがこのアンカープレートから突出し、下端部１６１ｂがこの杭頭部の内部に固定されている緊張部材１６１が、このプレキャスト鉄筋コンクリート製パイルキャップとこの杭頭部とを緊結してもよい。
【００３８】
杭頭部１０１の直径は、杭の直径より大きくてもよい。
【００３９】
プレキャスト鉄筋コンクリート製パイルキャップ１０３は、矩形状でもよく、このプレキャスト鉄筋コンクリート製パイルキャップの底面は平坦状でもよい。
【００４０】
アンカープレート１３１は、矩形状でもよい。アンカープレート１３１の面積は、拡頭部１０１の上端の面積よりも小さく、杭頭部１０１とプレキャスト鉄筋コンクリート製パイルキャップ１０３との接合時に、このアンカープレートがこの拡頭部の上方に位置してもよい。
なお、アンカープレート１３１は、円形状でもよく、杭頭部１０１の上端の面積より小さく、この上端の上方に位置すればいずれの形状でもよい
【００４１】
プレキャスト鉄筋コンクリート製パイルキャップ１０３からアンカープレート１３１に渡って、緊張部材１６１の各々が貫通する貫通孔が所定の箇所に設けてあってもよい。
なお、アンカープレート１３１に設ける貫通孔は、四隅以外でもよく、緊張部材１６１の各々の上端１６１ａが突出したときに、免震装置と衝突しなければ、いずれの位置でもよい。
【００４２】
緊張部材１６１は、杭頭部１０１とプレキャスト鉄筋コンクリート製パイルキャップ１０３とを圧着接合するためのものでもよく、例えばＰＣ鋼棒、ＰＣ鋼線及び高強度鉄筋でもよい。緊張部材１６１の上端１６１ａは、ネジ状でもよい。
なお、緊張部材１６１の各々は、杭の成形時に割裂防止用に予め設けたものでも、杭頭部１０１の成形後に挿入したものでもよく、杭の成形時に設ける場合、アンカープレート１３１との位置関係に応じて配置してもよい。
【００４３】
次に、図４に示す杭頭部と免震装置との接合構造の施工方法の一例を説明する。
なお、図２及び図３を参照しつつ説明した流れ又は手順と同等のものの説明は省略する。
【００４４】
まず、露出した杭の先端部分を所定の方法で切り削り、残った先端部分を杭頭部１０１とする。杭頭部１０１の上端から、緊張部材１６１の各々が突出するよう、切断せずに残しておく。
【００４５】
次に、杭頭部１０１の上端に無収縮モルタル（符番しない）を塗布する。そして、プレキャスト鉄筋コンクリート製パイルキャップ１０３及びアンカープレート１３１に設けた貫通孔に緊張部材１６１の各々を通しながら、このプレキャスト鉄筋コンクリート製パイルキャップを杭頭部１０１の上端に載置する。その後、無収縮モルタルが凝固する上、緊張部材１６１の上端１６１ａから下方にネジを締め付けることにより、杭頭部１０１とプレキャスト鉄筋コンクリート製パイルキャップ１０３とが緊張部材１６１の各々で緊結されるため、この杭頭部とプレキャスト鉄筋コンクリート製パイルキャップとが半剛接合より高い接合度合いになってもよい。
【００４６】
このように、本発明による別の実施形態における杭頭部１０１と免震装置との接合構造は、プレキャスト鉄筋コンクリート製パイルキャップ１０３の上面にアンカープレート１３１が設けてあり、さらに緊張部材１６１がこのプレキャスト鉄筋コンクリート製パイルキャップと杭頭部とを緊結することにより、施工効率が向上し、かつこのプレキャスト鉄筋コンクリート製パイルキャップと杭頭部との接合度が、半剛接合より高い度合いで実現する。すなわち、アンカープレート１３１が一体的に設けられていることにより、免震装置とプレキャスト鉄筋コンクリート製パイルキャップ１０３との接合が容易となる。さらに、プレキャスト鉄筋コンクリート製パイルキャップ１０３と杭頭部１０１との間に無収縮モルタルが介在し、かつ緊張部材１６１で緊結することにより、このプレキャスト鉄筋コンクリート製パイルキャップと杭頭部とのとの接合度が、半剛接合より高い度合いで実現する。
【産業上の利用可能性】
【００４７】
本発明における杭頭部と免震装置との接合構造は、集合住宅のみならず、個別住宅、企業の建築物及び医療施設や介護施設等に関する産業に広く利用可能である。
【符号の説明】
【００４８】
１、１０１      杭頭部
２、１０２      免震装置
３、１０３      プレキャスト鉄筋コンクリート製パイルキャップ
３１、１３１    アンカープレート
３２            コッター
３３            凹部
３４            無収縮モルタル
４              つなぎ梁
Ｂ              構造体
Ｃ              捨てコンクリート
【図１】
0006721979.tif 000002
【図２】
0006721979.tif 000003
【図３】
0006721979.tif 000004
【図４】
0006721979.tif 000005